(57)【要約】【課題】  本発明は、通常の排水設備を既存の放射性物質取扱建屋内の床に適用した場合、少なくとも設置工事する場合の大規模な工事となることを防止する。【解決手段】  本発明は、放射性物質取扱建屋内の床に設けられたハッチに設置されるハッチカバー内部に、床の上階フロア側に取水口を、床の下階側に排水口を備える排水路を設ける。また本発明は、排水路が取水口から排水口に向けて、ハッチカバーの底部からの高さが同じか、低くなっていく。さらに、本発明は、排水口に水の自重で開動作が可能な気密性を持つダンパーを設ける。【選択図】  図１
2015125108.tif 000002
【特許請求の範囲】
【請求項１】
放射性物質取扱建屋内の床に設けられたハッチに設置されるハッチカバーの内部に、前記ハッチカバーの上階側に取水口を、前記ハッチカバー底部に排水口を備える排水路を設けたことを特徴とする放射性物質取扱建屋内排水設備。
【請求項２】
請求項１に記載の放射性物質取扱建屋内排水設備において、
前記排水路は、前記取水口から流入する排水が前記床に対して水平方向に流れる部分を有する、
ことを特徴とする放射性物質取扱建屋内排水設備。
【請求項３】
請求項２に記載の放射性物質取扱建屋内排水設備において、
前記取水口と前記排水口は、前記水平方向にずれた位置に設けられた、
ことを特徴とする放射性物質取扱建屋内排水設備。
【請求項４】
請求項２に記載の放射性物質取扱建屋内排水設備において、
前記排水路は、クランク形状を有する、
ことを特徴とする放射性物質取扱建屋内排水設備。
【請求項５】
請求項１乃至４のいずれかに記載の放射性物質取扱建屋内排水設備において、
前記排水路は、前記取水口から前記排水口に向けて、前記ハッチカバーの底部からの高さが同じか、低くなっていく、
ことを特徴とする放射性物質取扱建屋内排水設備。
【請求項６】
請求項１乃至５のいずれかに記載の放射性物質取扱建屋内排水設備において、
前記排水路は鋼材で形成され、ハッチカバー内部に組み込まれている、
ことを特徴とする放射性物質取扱建屋内排水設備。
【請求項７】
請求項１乃至６のいずれかに記載の放射性物質取扱建屋内排水設備において、
前記排水口に水の自重で開動作が可能な気密性を持つダンパーを設けた、
ことを特徴とする放射性物質取扱建屋内排水設備。
【請求項８】
請求項７に記載の放射性物質取扱建屋内排水設備において、
前記ダンパーは、前記排水口を塞ぐ気密蓋と前記気密蓋を閉じるスプリング付蝶番で構成される、
ことを特徴とする放射性物質取扱建屋内排水設備。
【請求項９】
請求項７叉は８に記載の放射性物質取扱建屋内排水設備において、
前記気密蓋に気密性を高めるＯリングを設けた。
ことを特徴とする放射性物質取扱建屋内排水設備。
【発明の詳細な説明】
【技術分野】
【０００１】
本発明は、排水設備に係り、特に原子力発電所等の放射性物質取扱建屋内排水設備に関する。
【背景技術】
【０００２】
放射性物質取扱建屋内以外で使用されている従来の排水設備としては、特許文献１、特許文献２がある。
特許文献１には、道路の排水設備として、例えば落蓋型(カバー)の側溝(ハッチ)において、側溝本体の側壁の上部に、道路の透水性表層から排水溝内部に通じる本体排水孔を設け、透水性表層に透水した水を円滑に排水できるとともに、この排水効果を維持できるようにする、ことが記載されている。
【０００３】
特許文献２には、排水がなくなったときに、Ｕ字管の途中に設けられたフロートで弁部を塞ぐ、ことが記載されている。
【先行技術文献】
【特許文献】
【０００４】
【特許文献１】特開平９−２４２１６１号公報
【特許文献２】実開昭６０−１６９３７２号公報
【発明の概要】
【発明が解決しようとする課題】
【０００５】
上記した通常の排水設備を、既存の原子力発電所など放射性物質取扱建屋内の床に新たに設けた場合、特許文献１、２に記載された排水水設備では、床の一部を撤去するなどの大規模な工事となる。
【０００６】
本発明は、上記課題を解決できる放射性物質取扱建屋内排水設備を提供することにある。
【課題を解決するための手段】
【０００７】
上記課題を解決するために、例えば特許請求の範囲に記載の構成を採用する。
本発明は、上記課題を解決する手段を複数含んでいるが、その一例を挙げるならば、放射性物質取扱建屋内の床に設けられたハッチに設置されるハッチカバー内部に、前記ハッチカバーの上階側に取水口を、前記ハッチカバー底部に排水口を備える排水路を設けることを特徴とする。
【発明の効果】
【０００８】
本発明によれば、既存のハッチカバーと内部に排水設備を組込んだ本発明のハッチカバーを置き換えることで、大規模な工事を行わず容易に既存の建屋床に排水機能を持たせることが出来る。
【図面の簡単な説明】
【０００９】
【図１】図１０(ａ)に示す一実施形態であるハッチに適用した本発明の放射性物質取扱建屋内排水設備の第１の実施例を示す断面図である。
【図２】放射性物質取扱建屋内排水設備の第１の実施例による排水のイメージを示した断面図である。
【図３】放射性物質取扱建屋内排水設備の第１の実施例による排水のイメージを示した断面図である。
【図４】放射性物質取扱建屋内排水設備の第１の実施例のクランク形状排水路による放射線の遮蔽効果を説明する断面図である。
【図５】実施例１の放射性物質取扱建屋内排水設備による雰囲気線量への遮へい効果を示した断面図である。
【図６】図１０(ａ)に示す一実施形態であるハッチに適用した本発明の放射性物質取扱建屋内排水設備の第２の実施例を示す断面図である。
【図７】図１０(ａ)に示す一実施形態であるハッチに適用した本発明の放射性物質取扱建屋内排水設備の第３の実施例を示す断面図である。
【図８】図１０(ａ)に示す一実施形態であるハッチに適用した本発明の放射性物質取扱建屋内排水設備の第４の実施例を示す断面図である。
【図９】図１０(ａ)に示す一実施形態であるハッチに適用可能な本発明の放射性物質取扱建屋内排水設備の第５の実施例１０のうち排水口、気密ダンパーを含む部分の拡大断面図である。
【図１０】一般的な原子力発電所の一実施形態であるハッチに適用した既存のハッチカバーの例を示す断面図である。
【発明を実施するための形態】
【００１０】
以下、本発明の実施形態を原子力発電所を例として図面を用いて説明する。
一般的な原子力発電所では、定期検査において機器や作業道具等を搬入出するために、上部一辺の長さＬが５００ｍｍから２０００ｍｍの角程度のハッチが床２に設けられている。図１０(ａ)にハッチの一実施形態であるハッチ３の断面図を示し、図１０(ｂ)にハッチ３に設置した既存のハッチカバー１の例の断面図を示す。ハッチカバー１はコンクリートで形成される。ハッチカバー１の床は放射線量率が低い上階のフロアであり、ハッチの下側は放射線量率が高い下階である。なお、以下の説明では、構造物等の符号の添え字は、実施例を表すが、そのものを示すときは添え字を省略する。
【００１１】
本願発明は、このような環境のハッチ３に適用可能な排水設備を組み込んだハッチカバー１１で構成される放射性物質取扱建屋内排水設備１０であることを特徴とする。
【００１２】
（実施例１）
図１は、図１０(ａ)に示す一実施形態であるハッチ３に適用可能な本発明の放射性物質取扱建屋内排水設備１０の第１の実施例１０Ａを示す断面図である。
【００１３】
実施例１は、ハッチカバー１１Ａの中にクランク形状の排水路１２Ａを埋め込み、ハッチカバー１１Ａ底部に排水路１２Ａの排水口１２ｄを塞ぐ気密ダンパー１３が設置されている。
排水路１２Ａは、ＳＵＳ、鉄などの鋼材で形成されている。気密ダンパー１３は、排水口１２ｄを開閉する気密蓋１３ｆと、床２に固定され気密蓋１３ｆを開閉するスプリング付蝶番１３ｈとを有する。
【００１４】
図２、図３は、実施例１の放射性物質取扱建屋内排水設備１０Ａによる排水のイメージを示した断面図である。
図２に示すように、ハッチカバー１１Ａが設置されている上階の床に、津波、内部溢水等の何らかの原因で水４が滞留すると、クランク形状の排水路１２Ａへ水が取水口１２ｓから流入する。
流入した水がクランク形状の排水路１２Ａにある程度滞留すると、水の自重によりハッチカバー底部の気密ダンパー１３の気密蓋１３ｆが開き、下階へ水が排水される。
また、図３に示すように、排水路１２Ａ内の水位の低下により気密ダンパー１３に掛る水の自重が軽くなり、スプリング付蝶番１３ｈのバネ力が水の自重に打ち勝つことで、気密蓋１３ｆが閉じる。
【００１５】
滞留水４が放射性物質を有する汚染水であれば、滞留水４を排水後、排水路１２Ａを介して上階の床を除染すると共に、排水路１２Ａ自体も除染する。排水路１２Ａを滑らかな面を有する鋼材で形成することで、排水路１２Ａの除染もし易くなる。汚染される可能性がない床の場合は、排水路１２Ａを例えばコンクリートで形成されたハッチカバー１１Ａの空洞路としてもよい。
【００１６】
滞留水が汚染水の有無に係わらず、図３に示す残留水４ｚは存在する。残留水４ｚがクランク形状の排水路１２Ａの水平部に溢れない高さとすることで、図４で説明するように、残量水がたとえ放射能を有しても、上階には放射線の影響を与えない。この場合の、残量水の高さＨは、スプリング付蝶番１３ｈのバネ力及び排水路１２Ａの断面積で決まる。極力残量水の高さＨを低くするが、所定の高さの残量は残る。そこで例えば、この残留水４ｚを残さないために、後述する放射性物質を含む空気６の流入に影響のない程度、例えば径が３ｍｍ以下の排水穴を気密蓋１３ｆに設けてもよい。
【００１７】
図４は、クランク形状排水路１２Ａによる放射線の遮蔽効果を説明する断面図である。下階からの排水路１２Ａに入射した多くの放射線５は、障害物(排水路１２Ａの壁やハッチカバー１１Ａ)の材料の持つ線吸収係数に基づく割合で吸収され減衰していく。そのために上階の床上にいる人の被ばく量の増加を防ぐことができる。この効果は、図３に示す残量水からの放射線についても同様である。
図５は、実施例１の放射性物質取扱建屋内排水設備１０Ａによる雰囲気線量への遮へい効果を示した断面図である。
【００１８】
ハッチカバー１１Ａの下階の雰囲気線量が高い場合、排水処理をしない通常時には放射性物質を含む空気６が排水路１２Ａを通じて上階に流入する可能性がある。本実施例では、ハッチカバー１１Ａ底部に設置された気密ダンパー１３の気密蓋１３ｆが排水口１２ｄを閉止することにより、放射性物質を含む空気が上階に流入すること防止する。そのために上階の床上にいる人への被ばく量の増加を防ぐことができる。
【００１９】
以上説明した実施例１によれば、既存のハッチカバーを内部に排水路を組み込んだハッチカバーを置き換えることで、大規模な工事を行わず容易に既存の床に排水機能を持たせることが出来る。
【００２０】
また、以上説明した実施例１によれば、ハッチカバー内部に組み込んだ排水路をクランク形状にすることで、ハッチカバー１１Ａ上部の取水口からハッチカバー底部の排水口を直視することができないため、残存する排水または下階からの上階への放射線の流入を防ぐことができ、上階の床上にいる人の被ばく量の増加を防ぐことが出来る。
【００２１】
さらに、以上説明した実施例１によれば、ハッチカバー底部の排水口に排水の自重で開閉動作が可能な気密性を持つダンパーを設置することで、排水機能を妨げず、排水が流れない通常時はカバー内部に組込まれた排水路を通じて放射性物質を含む空気の流入を防ぎ、上階の床上にいる人の被ばくエリア量の増加を防ぐことが出来る。
【００２２】
また、以上説明した実施例１によれば、特許文献１に記載された排水水設備のように、透水性表層がフィルターとなり放射性物質を蓄積していくことがないので、上階の床上にいる人の被ばく量の増加を防止することが出来る。
【００２３】
さらに、以上説明した実施例１によれば、特許文献１に記載された排水水設備のように、透水性表層に蓄積した放射性物質が乾燥し、排水設備に流入した空気により放射性物質が飛散することがないので、上階の床上にいる人の被ばく量の増加を防止することが出来る。
【００２４】
また、以上説明した実施例１によれば、特許文献２に記載された排水水設備のように、Ｕ字管のうち取水口側に排水が残ることがないので、上階の床上にいる人の被ばく量の増加を防止することが出来る。
【００２５】
（実施例２）
図６は、図１０(ａ)に示す一実施形態であるハッチ３に適用可能な本発明の放射性物質取扱建屋内排水設備１０の第２の実施例１０Ｂを示す断面図である。
【００２６】
実施例２の実施例１と異なる点は、排水路１２の形状が異なった排水路１２Ｂと、排水路１２の形状が異なるに伴いハッチカバー１１の内部形状が異なったハッチカバー１１Ｂとである。実施例２の排水路１２Ｂは、実施例１のクランク形状ではなく、取水口１２ｓ側から排水口１２ｄ側に向けて傾斜した排水路１２Ｂを有している。排水路１２の形状は、実施例１、２の他、実施例２の形状を滑らかにした積分記号形状や階段形状などが考えられる。
【００２７】
ハッチカバー１１の放射線遮蔽効果は、その厚さが厚い程高い。従って、以上説明した実施例２によれば、取水口１２ｓと排水口１２ｄに対するハッチカバー１１の部分の厚さが厚くすることができ、実施例１に比べ放射線遮蔽効果を高くできる。
また、上述した実施例２においても、実施例１と同様な効果を奏することができる。
【００２８】
特に、実施例１、２から分かる排水路１２の形状の特徴として、重要な点は次の２点である。第１の点は、取水口１２ｓと排水口１２ｄの位置が床に対して水平方向に異なっている点である。第２の点は、取水口１２ｓ側から排水口１２ｄ側に向けて排水路の位置が同じ高さか、低くなっている点である。
【００２９】
特に、上記の第２の点により、ハッチカバー１１Ａ上部の取水口からハッチカバー底部の排水口を直視することできないため、残存する排水または下階からの上階への放射線を防ぐことができ、上階の床上にいる人の被ばく量の増加を防止することが出来る。
【００３０】
（実施例３）
図７は、図１０(ａ)に示す一実施形態であるハッチ３に適用可能な本発明の放射性物質取扱建屋内排水設備１０の第３の実施例１０Ｃを示す断面図である。
【００３１】
実施例３の実施例１と異なる点は、排水路１２の形状が異なる排水路１２Ｃと、排水路１２の形状の異なるに伴いハッチカバー１１の内部形状が異なったハッチカバー１１Ｃである。実施例３の排水路１２Ｃは、実施例１の１段のクランク形状ではなく、２段のクランク形状を有している。
【００３２】
排水路１２Ｃは、実施例１、２の排水路と異なり、ハッチカバー１１Ｃ上部に設けられた取水口１２ｓとハッチカバー底部に設けられた排水口１２ｄの位置が床２に対して水平方向に同じ位置にある点である。しかし、実施例３は、排水が床２に対して水平方向に流れる部分を排水路１２Ｃが有し、更に反対方向に流れる部分を有するという、第３の異なる点を有する。この第３の点により、ハッチカバー１１Ｃ上部の取水口１２ｓからハッチカバー底部の排水口１２ｄの直視を遮る部分がハッチカバー１１Ｃにできる。
【００３３】
従って、実施例３は、実施例２のところで排水路１２の形状の特徴として述べた効果をもたらすことができる。即ち、実施例３は、実施例２と同様に、ハッチカバー１１Ｃ上部の取水口からハッチカバー底部の排水口を直視することができないため、残存する排水または下階からの上階への放射線を防ぐことができ、上階の床上にいる人の被ばく量の増加を防止することが出来る。
【００３４】
実施例１乃至３から分かるように、上階フロアの取水口１２ｓからとハッチカバー底部の排水口１２ｄを直視できないようにするためには、排水路１２は、排水が床２に対して水平方向に流れる部分を有することが必要である。
【００３５】
実施例３によれば、ハッチカバー１１の上部側叉は底部側に何らかの障害物があり、取水口１２ｓと排水口１２ｄの設置位置を自由に設定できない場合でも、実施例１乃至３から得られた条件を満たせば、例え、取水口１２ｓと排水口１２ｄが床２に対して水平方向に同じ位置であっても設けることができる。
【００３６】
その他の効果についても、実施例３は、実施例１、２と同様な効果を奏することができる。
【００３７】
（実施例４）
図８は、図１０(ａ)に示す一実施形態であるハッチ３に適用可能な本発明の放射性物質取扱建屋内排水設備１０の第４の実施例１０Ｄを示す断面図である。
【００３８】
実施例４は、実施例１乃至３とは異なり、ハッチカバー１１Ｄ上部の取水口１２ｓとハッチカバー底部の排水口１２ｄとは、直線形状の排水路１２Ｄで接続されており、排水口１２ｄに気密ダンパーを設けていない。その他の点は、実施例１乃至３と同じである。
【００３９】
実施例４は、放射線５が貫通するので、上階の床上にいる人の被ばく量の増加の防止効果を奏することはできない。しかしながら、放射性物質取扱建屋内といえども、放射線量率が低い又は零の場所が存在する。実施例４は、そのような場所におけるハッチ３に適用可能である。
【００４０】
実施例４は、既存のハッチカバーを内部に排水路を組み込んだハッチカバーを置き換えることで、大規模な工事を行わず容易に既存の建屋床に排水機能を持たせることが出来る、効果を奏することができる。
【００４１】
（実施例５）
図９は、図１０(ａ)に示す一実施形態であるハッチ３に適用可能な本発明の放射性物質取扱建屋内排水設備１０の第５の実施例１０Ｅのうち排水口１２ｄ及び気密ダンパー１３Ｂを含む部分の拡大断面図である。
【００４２】
実施例５の気密ダンパー１３Ｂと実施例１乃至３の気密ダンパー１３Ａとの異なる点は、気密蓋１３ｆにハッチカバー１１底部との気密をより一層高めるＯリング１３ｒを設けた点である。Ｏリング１３ｒの材質としては、例えば、耐放射線性の高いエラストマが好ましい。
【００４３】
実施例５によれば、Ｏリング１３ｒにより下階からの放射性物質を含む空気が上階に流入する防止を、更に確実に行うことができる。
【００４４】
実施例５とは逆に、例えば、下階フロア内に換気により、排水路１２に放射性物質を含む空気が流入する恐れがない場所は、必ずしも気密ダンパー１３を設ける必要はない。
【符号の説明】
【００４５】
１：原子力発電所のハッチカバー例        ２：既設建屋の躯体床
３：原子力発電所のハッチ例              ４：水
４ｚ：排水路の残留水                    ５：空気
１０、１０Ａ乃至１０Ｅ：放射性物質取扱建屋内排水設備
１１、１１Ａ乃至１１Ｄ：ハッチカバー    １２、１２Ａ乃至１２Ｄ：排水路１
１２ｄ：排水口                          １２ｓ：取水口
１３、１３Ａ、１３Ｂ：気密ダンパー      １３ｆ：気密蓋
１３ｈ：スプリング付蝶番                １３ｒ：Ｏリング
【図１】
2015125108.tif 000003
【図２】
2015125108.tif 000004
【図３】
2015125108.tif 000005
【図４】
2015125108.tif 000006
【図５】
2015125108.tif 000007
【図６】
2015125108.tif 000008
【図７】
2015125108.tif 000009
【図８】
2015125108.tif 000010
【図９】
2015125108.tif 000011
【図１０】
2015125108.tif 000012